(57)【要約】【課題】  従来の情報通信では、光ファイバーから光ビームを取り出すことにより、原理的に盗聴することができ、又、光ファイバーを通過する光ビームを暗号化しても、盗聴を防ぐことができないという問題があった。【解決手段】  光源から照射された光ビームを第１のビームスプリッターで２つに分け、一方の光ビームに光スイッチを装着し、光スイッチを制御する信号を送信信号とし、又、他方の光ビームを遅延ラインを通し、２つに分けた一方と他方の光ビームを第２のビームスプリッターで合わせて送信装置で送信し、受信装置では、合わせて送信された光ビームを第２のビームスプリッターで分離し、一方の光ビームを第２の光スイッチでサンプリングし、他方の光ビームを第３のスイッチでサンプリングするとともに遅延ラインを通し、一方の光ビームと他方の光ビームを第４のビームスプリッターで干渉させて、第１、第２の検出器でそれぞれの干渉を検出し、検出した信号で受信器を動作して、情報を送受信するようにした干渉制御による情報通信方法及びその装置である。【選択図】図１
2005295018.tif 000002
【特許請求の範囲】
【請求項１】
光源より照射されたビーム光線を第１のビームスプリッターで２つの光ビームに分け、該第１のビームスプリッターにより分けられた一方の光ビームを第１の光スイッチで遮断、通過するように送信機からの送信信号でコントロールし、他方の光ビームは遅延ラインを通し、前記遮断、通過するようにした一方の光線と前記遅延ラインを通した他方の光ビームとを第２のビームスプリッターで合わせて送信し、送信された光ビームを第３のビームスプリッターで一方の光ビームと他方の光ビームに分離するとともに、一方の光ビームを第２の光スイッチでサンプリングし、他方の光ビームを第３の光スイッチでサンプリングとともに遅延ラインを通して光路差を解消し、分離された一方の光ビームと他方の光ビームを第４のビームスプリッターで干渉させることにより、第１、第２の検出器でそれぞれの干渉を検出し、検出した信号で受信器を動作することにより情報を送受信することを特徴とする干渉制御による情報通信方法。
【請求項２】
光源より照射されたビーム光線を第１のビームスプリッターで２つの光ビームに分け、該第１のビームスプリッターにより分けられた一方の光ビームを第１の光スイッチで遮断、通過するように送信機からの送信信号でコントロールし、他方の光ビームは遅延ラインを通し、前記遮断、通過するようにした一方の光線と前記遅延ラインを通した他方の光ビームとを第４の光スイッチで合わせて送信し、送信された光ビームを第５のビームスプリッターで一方の光ビームと他方の光ビームに分離するとともに、他方の光ビームを遅延ラインを通して光路差を解消し、分離された一方の光ビームと他方の光ビームを第４のビームスプリッターで干渉させることにより、第１、第２の検出器でそれぞれの干渉を検出し、検出した信号で受信器を動作することにより情報を送受信することを特徴とする干渉制御による情報通信方法。
【請求項３】
光ビームを照射する光源と、該光源からの光ビームを２つに分ける第１のビームスプリッターと、該第１のビームスプリッターにより分けられた一方の光ビームを遮断、通過するように装着された第１の光スイッチと、該第１の光スイッチを制御する送信機と、他方の光ビームを遅延させる第１の遅延ラインと、前記第１の光スイッチを通過する一方の光ビームと前記遅延された他方の光ビームとを合わせる第２のビームスプリッターとからなる送信装置と、該送信装置から送信された光ビームを分離する第３のビームスプリッターと、第３のビームスプリッターで分離された一方の光ビームをサンプリングする第２の光スイッチと、第３のビームスプリッターで分離された他方の光ビームをサンプリングする第４の光スイッチと、第４の光スイッチを通過した他方の光ビームを遅延する第２の遅延ラインと、第２の光スイッチを通過した一方の光ビームと遅延ラインを通過した他方の光ビームを合わせて干渉させる第４のビームスプリッターと、一方の光ビームと他方の光ビームの干渉をそれぞれ検出する第１、第２の検出器と、該第１、第２の検出器の出力を受信する受信器とからなる受信装置とからなることを特徴とする干渉制御による情報通信装置。
【請求項４】
光ビームを照射する光源と、該光源からの光ビームを２つに分ける第１のビームスプリッターと、該第１のビームスプリッターにより分けられた一方の光ビームを遮断、通過するように装着された第１の光スイッチと、該第１の光スイッチを制御する送信機と、他方の光ビームを遅延させる第１の遅延ラインと、前記第１の光スイッチを通過する一方の光ビームと前記遅延された他方の光ビームとを合わせる第４の光スイッチとからなる送信装置と、該送信装置から送信された光ビームを分離する第５の光スイッチと、第５の光スイッチで分離された他方の光ビームを遅延する遅延ラインと、第５の光スイッチで分離された一方の光ビームと前記遅延ラインを通過した他方の光ビームを合わせて干渉させる第４のビームスプリッターと、一方の光ビームと他方の光ビームの干渉をそれぞれ検出する第１、第２の検出器と、該第１、第２の検出器の出力を受信する受信器とからなる受信装置とからなることを特徴とする干渉制御による情報通信装置。
【発明の詳細な説明】
【技術分野】
【０００１】
本発明は、盗聴が不可能な干渉制御による情報通信方法及びその装置に係り、特に、光の干渉をコントロールし、このコントロール信号を送信信号とするようにした干渉制御による情報通信方法及びその装置に関するものである。
【背景技術】
【０００２】
従来、情報通信システムとしては、光ファイバーを通して、光ビームを変調するようにした光変調通信が提案されている。
【０００３】
しかしながら、従来のこのような情報通信では、光ファイバーから光ビームを取り出すことにより、原理的に盗聴することができ、又、光ファイバーを通過する光ビームを暗号化しても、盗聴を防ぐことができないという問題があった。そこで、盗聴を防ぐために、干渉を制御する発明を提案したが、この発明では、２経路が必要であった。
【特許文献１】特願２００３−４０９８７９
【発明の開示】
【発明が解決しようとする課題】
【０００４】
解決しようとする問題点は、従来の通信方法では、原理的に盗聴することができる点であり、改良された発明では、２経路が必要となる。
【課題を解決するための手段】
【０００５】
本発明では、光源から照射された光ビームを第１のビームスプリッターで２つに分け、一方の光ビームに光スイッチを装着し、この光スイッチを制御する信号を送信信号とし、又、他方の光ビームを遅延ラインを通し、２つに分けた一方と他方の光ビームを第２のビームスプリッターで合わせて送信装置で送信し、受信装置では、合わせて送信された光ビームを第２のビームスプリッターで分離し、一方の光ビームを第２の光スイッチでサンプリングし、他方の光ビームを第３のスイッチでサンプリングするとともに遅延ラインを通し、一方の光ビームと他方の光ビームを第４のビームスプリッターで干渉させて、第１、第２の検出器でそれぞれの干渉を検出し、検出した信号で受信器を動作して、情報を送受信するようにした干渉制御による情報通信方法及びその装置である。
【発明の効果】
【０００６】
本発明の干渉制御による情報通信方法及び装置では、光ビームを取り出した場合は、受信機の検出器で干渉が崩れてしまい、受信信号を受信することができないので、盗聴がされていることをすぐに確認することができ、一方、盗聴者も信号を復元できないので、盗聴されることがないという利点がある。
【実施例】
【０００７】
図１は本発明の実施例の干渉制御による情報通信方法及び装置を説明するための送信装置の構成図で、光ビームを照射する光源１から照射された光ビーム２は、ハーフミラーからなる第１のビームスプリッター３で２つの光ビーム２ａ、２ｂに分けられ、第１の光ビーム２ａは、遮断したり、通過させたりすることができるようにオン・オフされる光スイッチ４に入力され、この光スイッチ４をオン・オフする送信機５が光スイッチ４に接続され、光スイッチ４を通過した光ビーム２ａは第１の通路を通って第２のビームスプリッター６に送られ、一方、第１のビームスプリッター３で分けられた第２の光ビーム２ｂは第１の遅延ライン７を通過して第２のビームスプリッター６に送られ、この第２のビームスプリッター６で第１の光ビーム２ａと第２の光ビーム２ｂが合わされ送信されるように送信装置８が構成される。
【０００８】
図２は本発明の実施例の干渉制御による情報通信方法及び装置を説明するための受信装置の構成図で、送信装置８から送信された第１、第２の光ビーム２ａ、２ｂが合わされた光ビームは第３のビームスプリッター９で第１、第２の光ビーム２ａ、２ｂに分けられ、第１の光ビーム２ａは第２の光スイッチ１０に入力されて、第１のサンプリング装置１１からの信号でサンプリングされて遅延ライン１２を通過して、第２の光ビーム２ｂとの遅延差が解消されて第４のビームスプリッター１３に送られ、又、第３のビームスプリッター９で分離された第２の光ビーム２ｂは第３の光スイッチ１４に入力されて、第２のサンプリング装置１５からの信号でサンプリングされ、第４のビームスプリッター１３に送られ、この第４のビームスプリッター１３で第１、第２の光ビーム２ａ、２ｂの干渉が取られ、この干渉は第１の検出器１６及び第２の検出器１７で検出され、第１の検出器１６及び第２の検出器１７で検出された信号は受信機１８に入力されるようにした受信装置１９が構成される。
【０００９】
このように構成した本実施例の干渉制御による情報通信方法及び装置では、光源１から第１のビームスプリッター２で分けられた第１の光ビーム２ａは第１のスイッチ４に入力されて、送信機５からの信号でオン・オフされて第２のビームスプリッター６に入力され、又、第２の光ビーム２ｂが第２の遅延ライン１２を通過して第２のビームスプリッター７に送られると、２つの信号は合わされて受信装置１９に入力され、受信装置１９では、送信された光ビームをそれぞれ第１の光ビーム２ａ、第２の光ビーム２ｂに分離してそれぞれ第１、第２のサンプリング装置１１、１５によりそれぞれサンプリングされ、第１の光ビーム２ａは遅延ライン１２を通過して第２の光ビーム２ｂとの遅延差が解消され、こ第１、第２の光ビーム２ａ、２ｂは第４のビームスプリッター１３に入力されて、ここで干渉が取られ、その時、送信機５からの信号で遮断されて第１の光ビーム２ａがない場合は、干渉がないので、第４のビームスプリッター１３で第２の光ビーム２ｂは５０％の確率で、反射及び透過されて、第１の検出器１６及び第２の検出器１７に入力され、そこで、第１の光ビーム２ａが第４のビームスプリッター１３に入力されると、第２の光ビーム２ｂとの干渉が生じ、第２の検出器１７に入力されている光ビームが消され、第１の検出器１６にのみ光ビームが入力されることになるか、あるいは、第２の検出器１７のみで検出されようになるが、これは、２つの光ビーム２ａ、２ｂの光路長を第１、第２の遅延ライン７、１２で調整することによって設定することができる。
【００１０】
従って、第１の光ビーム２ａを光スイッチ４でオン・オフすることにより、第１、第２の検出器１５、１６に入力される光ビームがオン・オフされるため、このオン・オフを受信機１７で受信することにより、送信機５からの送信信号は受信機１０で受信され、ここで、第１の光ビーム２ａを取り出した場合は、干渉が崩れるため、第１、第２の検出器１６、１７で常に検出されるようになるため、盗聴が行われていることがすぐに発見でき、又、盗聴者は入手した信号を復元することができないため、盗聴をすることができない。
【００１１】
図３は本発明の他の実施例の干渉制御による情報通信方法及び装置の送信装置を説明する構成図、図４は図３の送信装置からの信号を受信する受信装置の構成図で、１は光源、２は光ビーム、２ａは第１の光ビーム、２ｂは第２の光ビーム、３は第４のビームスプリッター、１６は第１の検出器、１７は第２の検出器、１８０は受信機、１９は受信装置でこれらの構成は上記実施例と同じであるので、説明は省略するが、本実施例では、第２のビームスプリッター６の代わりに第４の光スイッチ２０で光ビームが合わされて受信装置１９に送信され、受信装置１９では、合わされた第１の光ビーム２ａと第２の光ビーム２ｂは第５の光スイッチ２１で分離され、第１の光ビーム２ａは第２の遅延ライン１２を通過して、第２の光ビーム２ｂとの遅延時間が解消されて第４のビームスプリッター１３に送られ、第５の光スイッチ２１で分けられた第２の光ビーム２ｂは第５のビームスプリッター１３に送られて合わされると、第１、第２のの光ビーム２ａ、２ｂの干渉が生じ、第２の検出器１７に入力されている光ビームが消され、第１の検出器１６にのみ光ビームが入力されることになるか、あるいは、第２の検出器１７のみで検出されるが、これは、２つの光ビームの光路長を第１、第２の遅延ライン７、１２を調整することによって設定される。
【００１２】
本実施例でも、上記実施例と同様に第１、第２の光ビームの干渉が取られ、第１、第２の検出器１６、１７の出力を検出することにより通信が可能になる。
【産業上の利用可能性】
【００１３】
以上の説明では、光路を空気中で行うようにしたが、この光路を光ファイバとすれば、産業上の利用が容易になる。
【図面の簡単な説明】
【００１４】
【図１】本発明の実施例の干渉制御による情報通信方法及び装置の送信装置を説明する構成図である。
【図２】図１の送信装置からの信号を受信するための受信装置の構成を説明する構成図である。
【図３】本発明の他の実施例の干渉制御による情報通信方法及び装置の送信装置を説明する構成図である。
【図４】図３の送信装置からの信号を受信するための受信装置の構成を説明する構成図である。
【符号の説明】
【００１５】
１                光源
２ａ              第１の光ビーム
２ｂ              第２の光ビーム
３                第１のビームスプリッター
４                第１の光スイッチ
５                送信機
６                第２のビームスプリッター
７                第１の遅延ライン
８                送信装置
９                第３のビームスプリッター
１０              第２の光スイッチ
１１              第１のサンプリング装置
１２              第２の遅延ライン
１３              第４のビームスプリッター
１４              第３の光スイッチ
１５              第２のサンプリング装置
１６              第１の検出器
１７              第２の検出器
１８              受信機
１９              受信装置
２０              第４の光スイッチ
２１              第５の光スイッチ
【図１】
2005295018.tif 000003
【図２】
2005295018.tif 000004
【図３】
2005295018.tif 000005
【図４】
2005295018.tif 000006